(57)【要約】【課題】  三脚に固定された状態でもフイルムパトローネの装填作業を行うことができるようにするとともに、装填作業時に裏蓋が完全に開くようにする。【解決手段】  写真カメラ１０を、カメラ本体１１と、カメラ本体１１の前面を覆う本体カバー１２と、カメラ本体１２の背面を覆う裏蓋１３とから構成する。裏蓋１３にフイルムパトローネ２７を装填するためのパトローネ装填部３９と、三脚５４を取り付けるための三脚取付部材（図示せず）とを形成する。パトローネ装填部３９に、パトローネ装填室４０及びこの装填室に連なる装填用開口４０ａを形成する。裏蓋１３を、撮影光軸に対して平行な回転軸を有するヒンジ部４４を介して、カメラ本体１１に取り付けるようにしたので、三脚５４に固定された状態でもフイルムパトローネの装填作業を問題なく行うことができるとともに、装填作業時に裏蓋１３を完全に開くことができる。【選択図】        図６
2006072153.tif 000002
【特許請求の範囲】
【請求項１】
フイルムパトローネを装填するためのパトローネ装填室と、カメラ本体の背面を覆うように形成された裏蓋とを備えた写真カメラにおいて、
前記パトローネ装填室が前記裏蓋と一体に形成されているとともに、前記カメラ本体に設けられた撮影光軸に対して平行な回転軸に前記裏蓋が軸着され、
前記カメラ本体または前記裏蓋のいずれか一方を前記回動軸を中心に回動させたときに、前記パトローネ装填室に連なる装填用開口が露呈されることを特徴とする写真カメラ。
【請求項２】
前記装填用開口は、前記パトローネ装填室の上面側に形成されていることを特徴とする請求項１記載の写真カメラ。
【請求項３】
前記裏蓋に、三脚を取り付けるための三脚取付部を形成するとともに、前記三脚取付部に前記三脚が取り付けられている状態で、前記フイルムパトローネを装填するときは、前記回動軸を中心に前記カメラ本体を回動させることで、前記装填用開口を露呈させることを特徴とする請求項２記載の写真カメラ。
【発明の詳細な説明】
【技術分野】
【０００１】
本発明は、フイルムパトローネをその巻き軸の軸方向から装填可能な写真カメラに関するものである。
【背景技術】
【０００２】
簡単に写真フイルムを装填することができるカメラとして、１３５タイプのフイルムパトローネを使用するＤＩＬ（ドロップインローディング）方式の写真カメラがある。このＤＩＬ方式の写真カメラは、カメラの裏蓋（装填蓋ともいう）を開けたときに、パトローネ装填室に連なる装填用開口がカメラの底面に露呈される構造のものが通常である。そして、この露呈された装填用開口からフイルムパトローネをその巻き軸の軸方向に押し込み、再び裏蓋を閉じることで、自動的に初期送りが開始され、撮影準備作業が完了する。
【０００３】
また、カメラの底面側からフイルムパトローネを装填する以外に、パトローネ装填室を形成している装填部をカメラ本体と別体に設け、さらに、カメラの裏蓋を開けたときに、この装填部をカメラ本体から引き出し可能な構造にすることで、カメラの上面側からフイルムパトローネを装填可能な写真カメラもよく知られている（特許文献１参照）。
【特許文献１】特開平８−１４６５０９号公報（第４頁）
【発明の開示】
【発明が解決しようとする課題】
【０００４】
ところで、写真撮影を行う際に、セルフタイマーによる撮影、望遠撮影、リモコン撮影やスローシャッタ撮影を行うときには、写真カメラを三脚に固定して撮影を行うのが通常である。また、この三脚は写真カメラの底面側に取り付けられていることが多い。そのため、上述のカメラの底面側に装填用開口が露呈されるＤＩＬ方式の写真カメラでは、三脚に取り付けられた状態でのフイルムパトローネの装填作業が困難である。
【０００５】
また、前記特許文献１に記載されている写真カメラは、三脚に取り付けられている状態でも、フイルムパトローネの装填作業を問題なく行うことができるが、このカメラには、裏蓋が所定角度よりも大きく開かないように規制する規制部材が設けられている場合が多い。この裏蓋が完全に開かないことは、カメラの取扱いに慣れていないユーザに違和感を与えてしまう。そのため、フイルムパトローネ装填時に裏蓋が完全に開くようにすることを希望するユーザもいる。さらに、規制部材を設ける分だけ、カメラの部品数及び組立工数が増えてしまうので、カメラの製造コストが高くなってしまうという問題もある。
【０００６】
本発明は上記問題を解決するためのものであり、三脚に取り付けられている状態でもフイルムパトローネの装填作業を問題なく行うことができるとともに、装填作業時に裏蓋が完全に開くようにした写真カメラを提供することを目的とする。
【課題を解決するための手段】
【０００７】
本発明は、フイルムパトローネを装填するためのパトローネ装填室と、カメラ本体の背面を覆うように形成された裏蓋とを備えた写真カメラにおいて、前記パトローネ装填室が前記裏蓋と一体に形成されているとともに、前記カメラ本体に設けられた撮影光軸に対して平行な回転軸に前記裏蓋が軸着され、前記カメラ本体または前記裏蓋のいずれか一方を前記回動軸を中心に回動させたときに、前記パトローネ装填室に連なる装填用開口が露呈されることを特徴とする。
【０００８】
また、前記装填用開口は、前記パトローネ装填室の上面側に形成されていることが好ましい。さらに、前記裏蓋に、三脚を取り付けるための三脚取付部を形成するとともに、前記三脚取付部に前記三脚が取り付けられている状態で、前記フイルムパトローネを装填するときは、前記回動軸を中心に前記カメラ本体を回動させることで、前記装填用開口を露呈させることが好ましい。
【発明の効果】
【０００９】
本発明の写真カメラは、フイルムパトローネを装填するためのパトローネ装填室と、カメラ本体の背面を覆うように形成された裏蓋とを備え、前記パトローネ装填室が前記裏蓋と一体に形成されているとともに、前記カメラ本体に設けられた撮影光軸に対して平行な回転軸に前記裏蓋が軸着され、前記カメラ本体または前記裏蓋のいずれか一方を前記回動軸を中心に回動させたときに、前記パトローネ装填室に連なる装填用開口が露呈されるようにしたので、三脚に固定されている状態でも、問題なくフイルムパトローネの装填を行うことができる。
【００１０】
また、フイルムパトローネの装填時に裏蓋をほぼ完全に開いて、カメラ本体の背面側を撮影者に対して露呈させることができるので、カメラの取扱いに慣れていないユーザに違和感を与えることはない。さらに、裏蓋の開閉を規制する規制部材を設ける必要がないので、カメラの部品数及び組立工数を減らすことができ、カメラの製造コストを下げることができる。
【発明を実施するための最良の形態】
【００１１】
図１、図２及び図３は本発明を実施した写真カメラ１０の正面写真図、背面斜視図及び分解斜視図を示したものである。図１〜図３に示すように、写真カメラ１０は、各種撮影機構が組み込まれたカメラ本体１１（図３参照）と、カメラ本体１１の前面を覆う本体カバー１２と、カメラ本体１１の背面を覆う裏蓋１３とから構成されている。
【００１２】
本体カバー１２の前面には、撮影レンズ１６が組み込まれたレンズ鏡筒１７、ファインダを構成する対物側ファインダ窓１８、被写体に向けてストロボ光を照射するストロボ発光部１９等が設けられている。このレンズ鏡筒１７の背面には、撮影レンズ１６を介して得られた被写体光を、後述するフイルム２８に結像させるための開口１７ａ（図３参照）が形成されている。また、本体カバー１２の上面にはレリーズボタン２０が設けられ、本体カバー１２の背面には、ファインダを構成する接眼ファインダ窓２１の他、図示は省略するが、ズームキーなどの各種操作キーが設けられている。
【００１３】
図３に示すように、カメラ本体１１には、レンズ鏡筒１７の背面と対面する位置にアパーチャ２４が形成されている。このアパーチャ２４の図中右方向には、詳しくは後述するが、カメラ本体１１とは別体に形成されたパトローネ装填部３９が配置される切り欠き部２５ａが形成されている。また、アパーチャ２４の図中上方向には、パトローネ装填部３９に装填されたフイルムパトローネ２７からフイルム２８を引き出して、フイルム巻取りに送り込むスプロケット２９、及びフイルム２８に形成されたパーフォレーション２８ａの数をカウントするパーフォレーションカウンタ（以下、単にカウンタと略称する）３０が設けられている。さらに、アパーチャ２４の図中左方向には、フイルム２８を巻き取る巻取り部３２が形成されているとともに、アパーチャ２４の図中下方向には、後述する三脚取付部５６が配置される切り欠き部２５ｂが形成されている。
【００１４】
フイルムパトローネ２７は、３５ミリフイルムであるフイルム２８がロール状に巻き付けられたスプール２７ａ、スプール２７ａを回動自在に内蔵したパトローネ本体２７ｂ等から構成される。また、パトローネ本体２７ｂからは、所定の長さ分だけフイルムリーダ２８ｂが延出している。
【００１５】
スプロケット２９には、フイルム２８のパーフォレーション２８ａと噛合するスプロケット歯が複数個設けられ、各スプロケット歯は、パーフォレーション２８ａにずれることなく噛合するように位相が調整されている。また、カウンタ３０としては、反射型のフォトセンサが用いられる。このカウンタ３０の前を通過したパーフォレーション２８ａの数をカウントすることで、写真撮影時の駒送り量を正確に制御することができる。さらに、フイルム初期送り時には、そのカウント数が所定の数に達したら、フイルムリーダ２８ｂがフイルム巻取り部３２に巻き取られ、フイルム２８の第１駒目が所定の撮影位置に搬送されたことがわかる。
【００１６】
フイルム巻取り部３２は、フイルム２８を巻き取るためのスプール３５と、このスプール３５に巻き取られたフイルム２８を収納するためのスプール収納室３６とからなる。また、スプール３５には、フイルム２８を巻き取るために、パーフォレーション２８ａに噛合する噛合爪３５ａが形成されている。
【００１７】
本実施例では、フイルムパトローネ２７を装填するパトローネ装填部３９を、裏蓋１３に形成する。このパトローネ装填部３９には、フイルムパトローネ２７が装填されるパトローネ装填室４０が形成されている。パトローネ装填室４０の上面側には、この装填室に連なる装填用開口４０ａが形成されている。そして、フイルムパトローネ２７は、この装填用開口４０ａからそのスプール２７ａ軸方向に装填される。また、このパトローネ装填室４０には、フイルムパトローネ２７の装填時にフイルムリーダ２８ｂを通し、且つ装填されたフイルムパトローネ２７からフイルム２８を送り出すためのスリット４１が形成されている。
【００１８】
裏蓋１３は、ヒンジ部４４を介してカメラ本体１１に回動自在に取り付けられている。このヒンジ部４４は、ヒンジ軸４６と、裏蓋１３に形成された貫通孔４７と、カメラ本体１１に形成され、挿入穴４８を有するヒンジ受け部４９とから構成される。ヒンジ軸４６の先端部には雄ネジ部４６ａが形成されているとともに、挿入穴４８の内部には雌ネジ部（図示せず）が形成されている。そして、カメラ本体１１に裏蓋１３を取り付ける際には、ヒンジ軸４６を裏蓋１３の貫通孔４７を通して、その雄ネジ部４６ａを挿入穴４８内部の雌ネジ部（図示せず）に螺合させる。これにより、ヒンジ軸４６は、撮影光軸（図示せず）に対して平行な状態で、ヒンジ受け部４９に固定される。その結果、裏蓋１３は、撮影光軸に対して平行な回転軸であるヒンジ軸４６を中心として回動可能な状態で、カメラ本体１１に取り付けられている。
【００１９】
裏蓋１３をヒンジ軸４６を中心に回動させることで、パトローネ装填部３９を、上述する切り欠き部２５ａに配置され、フイルム２８の初期送りを開始可能なセット位置と、その装填用開口４０ａが露呈した装填位置との間で回動させることができる（図５及び図６参照）。さらに、裏蓋１３を撮影光軸に対して平行なヒンジ軸４６に取り付けることで、この裏蓋１３を装填位置まで回動させたときに、カメラ本体１１の背面側を撮影者に対して露呈させることができる。つまり、前記特許文献１記載の写真カメラと異なり、裏蓋１３をほぼ完全に開けられるような構造になっている。
【００２０】
裏蓋１３のカメラ本体１１側の面には、図４に示すように、フイルムパトローネ２７から引き出されたフイルム２８を搬送するためのガイドレール５１と、搬送中のフイルム２８をアパーチャ２４側に押さえつけるように、図示しないバネにより付勢されているフイルム圧板５２とが設けられている。裏蓋１３が閉じられているとき、つまり、パトローネ装填部３９がセット位置にあるときは、ガイドレール５１、フイルム圧板５２、及びカメラ本体１１によりスリット状のフイルム搬送経路が形成される。なお、裏蓋１３開閉時に、フイルム圧板５２の図中上端部及び下端部がカメラ本体１１及び本体カバー１２に引っかからないように、これら上端部及び下端部をカメラ本体１１側と逆の方向に折り曲げておくことが好ましい。
【００２１】
また、裏蓋１３の底面側には、三脚５４（図５及び図６参照）を取り付けるための三脚穴５５を有する三脚取付部５６が形成されている。従って、セルフタイマーによる撮影、望遠撮影、リモコン撮影やスローシャッタ撮影を行うときは、三脚５４を裏蓋１３の底面側に取り付けた状態で撮影を行う。裏蓋１３は、ヒンジ部４４を介してカメラ本体１１に回動自在に取り付けられているので、フイルムパトローネ２７装填時には、カメラ本体１１の方をヒンジ軸４６を中心として回動させることで、パトローネ装填室４０に連なる装填用開口４０ａを露呈させることができる（図６参照）。なお、三脚取付部５６は、三脚の取付（固定）が可能であれば、任意の形状の部材を用いてよい。
【００２２】
フイルムパトローネ２７を装填する以外の時に裏蓋１３を回動させないように、パトローネ装填部３９の図中右側面（図２及び図３参照）には、裏蓋開閉スイッチ５８が設けられている。この裏蓋開閉スイッチ５８としては、例えば、スライドボタンが用いられる。そして、この裏蓋開閉スイッチ５８を図中右方向にスライド操作させると、パトローネ装填部３９から突起５９が突出する。また、カメラ本体１１には、パトローネ装填部３９がセット位置にあるときに、突起５９が嵌合する嵌合穴６０が形成されている。これにより、フイルムパトローネ２７を装填する以外の時は、裏蓋１３が回動しないように固定することができる。フイルムパトローネ２７を装填する時は、裏蓋開閉スイッチ５８を図中左方向にスライド操作させることで、突起５９がパトローネ装填部３９内に収納されるため、裏蓋１３を装填位置まで回動させることができる。
【００２３】
フイルムパトローネ２７をパトローネ装填部３９（パトローネ装填室４０）に装填し、パトローネ装填部３９をセット位置に回動させた後、裏蓋開閉スイッチ５８を図中右方向にスライド操作させると、図示しないセンサがこれを検知して、フイルム２８の初期送りが開始される。
【００２４】
次に、三脚５４に固定された本構成の写真カメラ１０のフイルムパトローネ２７装填作業について、図５及び図６を用いて説明する。ここで、図５は撮影時の状態を示した斜視図であり、図６はフイルムパトローネ２７装填時の状態を示した斜視図である。撮影者は、フイルムパトローネ２７を装填するときは、最初に、裏蓋開閉スイッチ５８（図１〜図３参照）をスライド操作して、裏蓋１３の固定を解除する。次いで、カメラ本体１１（本体カバー１２を含む）を、ヒンジ部４４を中心として図中反時計方向に回動させる。
【００２５】
図６に示すように、三脚５４に固定されている裏蓋１３のパトローネ装填部３９が相対的に装填位置の状態になるまで、カメラ本体１１を回動させると、カメラ本体１１の背面側を撮影者に対して露呈させることができるとともに、パトローネ装填室４０の装填用開口４０ａを写真カメラ１０の上面側に露呈させることができる。撮影者は、この装填用開口４０ａからフイルムパトローネ２７を装填したら、カメラ本体１１を今度は図中時計方向に回動させる。
【００２６】
パトローネ装填部３９が相対的にセット位置の状態になるまで、カメラ本体１１を回動させたら、裏蓋開閉スイッチ５８（図１〜図３参照）をスライド操作して、裏蓋１３をカメラ本体１１に固定する。これと同時に図示しないセンサが、裏蓋開閉スイッチ５８のスライド操作を検知して、フイルム２８の初期送りが開始され、フイルムパトローネ２７の装填作業が完了する。本実施例の写真カメラ１０は、裏蓋１３にパトローネ装填室４０を一体に形成するとともに、この裏蓋１３を撮影光軸に対して平行なヒンジ軸４６に取り付けることで、三脚５４に固定されている状態でも、問題なくフイルムパトローネ２７の装填（交換）を行うことができる。さらに、裏蓋１３またはカメラ本体１１を回動させることで、フイルムパトローネ２７の装填が可能な構造とすることで、カメラのデザインの幅を広げることができる。
【００２７】
また、フイルムパトローネ２７の装填時に、裏蓋１３をほぼ完全に開いて、カメラ本体１１の背面側を撮影者に対して露呈させることができるので、カメラの取扱いに慣れていないユーザに違和感を与えることはない。さらに、前記特許文献１記載の写真カメラのように、裏蓋の開閉を規制する規制部材を設ける必要がないので、カメラの部品数及び組立工数を減らすことができ、カメラの製造コストを下げることができる。
【００２８】
なお、ヒンジ部４４の位置は、本実施例の位置に限定されるものではなく、パトローネ装填部３９が形成された裏蓋１３を、カメラ本体１１に回動可能に取り付けられる位置であれば任意の位置に設けてもよい。また、裏蓋１３をカメラ本体１１に回動可能に取り付ける方法は、ヒンジに限定されるものではなく、任意の取付方法を用いてよい。
【００２９】
また、本発明は１３５タイプのＤＩＬ方式の写真カメラに限定されるものではなく、フイルム初期送り機構を備えたＡＰＳ方式の写真カメラ等にも適用することができる。
【図面の簡単な説明】
【００３０】
【図１】本発明を実施した写真カメラの正面斜視図である。
【図２】写真カメラの背面斜視図である。
【図３】写真カメラの分解斜視図である。
【図４】写真カメラの裏蓋をカメラ本体側から見た平面図である。
【図５】写真カメラを用いて撮影を行うときの状態を示した斜視図である。
【図６】フイルムパトローネを装填する時の状態を示した斜視図である。
【符号の説明】
【００３１】
１０  写真カメラ
１１  カメラ本体
１３  裏蓋
２７  フイルムパトローネ
２８  フイルム
３９  パトローネ装填部
４０  パトローネ装填室
４０ａ  装填用開口
５４  三脚
５５  三脚穴
５８  裏蓋開閉スイッチ
【図１】
2006072153.tif 000003
【図２】
2006072153.tif 000004
【図３】
2006072153.tif 000005
【図４】
2006072153.tif 000006
【図５】
2006072153.tif 000007
【図６】
2006072153.tif 000008